(57)【特許請求の範囲】
【請求項１】
水溶性樹脂製フィルムからなる袋内に盛土改質材料を収納してなり、土中に埋設され土との摩擦効果を発揮させるための帯状補強体の上下いずれか一方側又は両側に敷設して使用されることを特徴とする盛土補強パック。
【請求項２】
盛土改質材料が摩擦の大きい材料からなる請求項１記載の盛土補強パック。
【請求項３】
盛土改質材料が粒径７５μｍ以下の細粒分が２５％以下の粗粒土からなる請求項１記載の盛土補強パック。
【請求項４】
盛土改質材料が発泡ガラス片からなる請求項１記載の盛土補強パック。
【請求項５】
立設された壁体の内側に、土中に埋設され土との摩擦効果を発揮させるための帯状補強体を略水平方向に取り付け、該帯状補強体の上下に盛土を施すに際し、前記帯状補強体の上下いずれか一方側又は両側に、請求項１〜４のいずれか１項に記載の盛土補強パックを敷設することを特徴とする盛土工法。
【発明の詳細な説明】
【０００１】
【発明の属する技術分野】
本発明は盛土補強パック及びこれを用いた盛土工法に関し、更に詳しくは、砂質土、粗粒土等の土質を選ぶことなく、どのような土質であっても簡単に改質できるとともに、取り扱い、輸送、保管及び施工が容易な盛土補強パック及びこれを用いた盛土工法に関する。
【０００２】
【従来の技術】
従来、道路、鉄道、宅地造成等各種の土木構造物において、壁体の裏込め盛土材料中に鋼帯等の帯状補強材を挿入・敷設し、盛土全体の強度及び安定性を高める補強土工法が、一般にテールアルメ工法として広く実施されている。
【０００３】
しかしながら、上記工法にあっては、盛土の強度及び安定性は盛土とその中に挿入・敷設された帯状補強体（通常ストリップと称される）との摩擦力により保持されるため、帯状補強体との間で摩擦力を生じないような盛土材料では不適当で、例えば細粒分が一定量以上含有されている土質材料の場所では、上記工法は実施できないとされている。
【０００４】
上記問題を解決するため、図６に示す如く、細粒土２１からなる土質の、帯状補強体２２に接する土質部分を該補強体２２との間で摩擦力を生じる粗粒土２３に置き換える所謂サンドイッチ工法が実施されている。
しかしながら、道路、鉄道、宅地造成地等の広大な面積に亘って、帯状補強材２２が敷設される部分の細粒土２１を層状に削り取り、その後に粗粒土２３を入れる作業は極めて膨大な手間と時間とを必要とし、いきおい工期は長引き、コスト・アップとなることが避けられない。しかも、盛土工法は傾斜地の法面を利用して行われることが多く、従って一般に足場が悪く、大規模な機械の搬入が困難な場合が多く、このような情況下での上記サンドイッチ工法は甚だ煩雑で作業性が悪く、生産性の低いものとならざるを得ない。
【０００５】
【発明が解決しようとする課題】
本発明は上記問題点を解消し、盛土工法に適さない土質であっても容易に改質でき、盛土の強度及び安定性を向上させることの可能な盛土補強パック及び該盛土補強パックを用いた盛土工法を提供するものである。
【０００６】
【課題を解決するための手段】
本発明者は上記課題を解決するべく鋭意研究の結果、水溶性の袋内に粗粒土等の盛土改質材料を収納してなる盛土補強パックが、予め工場で安価に製造でき、且つ袋内に収納されているため施工現場に容易に運搬できるとともに、機械又は人力により、帯状補強体の上下いずれか一方側又は両側に容易に敷設でき、更に、水溶性の袋は土中の水分により溶解して従来のサンドイッチ工法と同様の状態となり、その結果、土質が改良され、強度及び安定性に優れた盛土が得られることを見出し、本発明に到達した。
【０００７】
即ち、本発明の第１は、水溶性樹脂製フィルムからなる袋内に盛土改質材料を収納してなり、土中に埋設され土との摩擦効果を発揮させるための帯状補強体の上下いずれか一方側又は両側に敷設して使用されることを特徴とする盛土補強パックを内容とする（第１項）。
【０００８】
好ましい態様として請求項２は、盛土改質材料が摩擦の大きい材料からなる請求項１記載の盛土補強パックである。
【０００９】
好ましい態様として請求項３は、盛土改質材料が粒径７５μｍ以下の細粒分が２５％以下の粗粒土からなる請求項１記載の盛土補強パックである。
【００１０】
好ましい態様として請求項４は、盛土改質材料が発泡ガラス片からなる請求項１記載の盛土補強パックである。
【００１１】
本発明の第２は、立設された壁体の内側に、土中に埋設され土との摩擦効果を発揮させるための帯状補強体を略水平方向に取り付け、該帯状補強体の上下に盛土を施すに際し、前記帯状補強体の上下いずれか一方側又は両側に、請求項１〜４のいずれか１項に記載の盛土補強パックを敷設することを特徴とする盛土工法を内容とする（第５項）。
【００１２】
【発明の実施の形態】
本発明に用いられるフィルムの材料である水溶性樹脂としては、ポリアクリルアミド、ポリアクリル酸、ポリメタクリル酸、ポリイタコン酸、ポリビニルアルコール、ポリエチレンオキシド、ポリビニルピロリドン、ポリビニルメチルエーテル、メチルセルロース等が挙げられ、これらの中で特にポリビニルアルコール、ポリエチレンオキシド、メチルセルロースがフィルム形成性等の点で好適である。
【００１３】
本発明に用いられる盛土改質材料としては、帯状補強体との摩擦の大きい材料であれば特に制限はなく、例えば、土粒子の粒径が７５μｍ以下の細粒分の含有量が２５％以下である粗粒土、ガラス屑を発泡させた発泡ガラス骨材等発泡ガラス片が好適で、これらは単独で又は必要に応じ混合して用いられる。
【００１４】
上記水溶性樹脂製フィルムからなる袋内に、上記盛土改質材料を収納して本発明の盛土補強パックとされる。袋の形は特に制限はなく、矩形、円形、楕円形等のいずれでもよい。
盛土補強パックのサイズは、幅は帯状補強体の幅の２〜４倍程度、長さは帯状補強体の長さの１〜１．２倍程度、厚さは５〜２０ｃｍ程度が好ましい。もっとも、長さについては連続的に敷設する必要は必ずしもなく、間欠的に敷設してもよい。この場合の長さは、例えば３０ｃｍ〜１．５ｍ程度の範囲で、重量では５〜１５ｋｇ程度で人力で容易に運搬できる程度の大きさ、重量とすることが好ましい。フィルムの厚さは、盛土改質材料を収納した状態で取り扱いや運搬の際に破れず且つ水分により短時間で溶解するように適宜決定される。
【００１５】
上記の如き本発明の盛土補強パックを用いて盛土を行うには、壁体を立設し、その壁体の内側（即ち、盛土側）に帯状補強体を略水平方向に取り付け、該帯状補強体の上下のいずれか一方側又は両側に上記盛土補強パックを敷設し、常法に従って盛土を行った後、転圧して工事を完了する。
尚、盛土補強パックは、帯状補強体の一方側に敷設するよりは両側に敷設する方が、強度、安定性は大きくなる。従って、一方側に敷設するか、両側に敷設するかは所望の強度、安定性に応じて適宜決定すればよい。
また、土中の水分が少ない場合は、盛土補強パックの近辺の土に水を散布しながら盛土を行なうことも可能である。
【００１６】
本発明に用いられる壁体は、コンクリート、グラスファイバーやカーボンファイバーによる強化コンクリート、軽量気泡コンクリート、スレート及びアルミニウム、ステンレス、亜鉛メッキ鋼等の金属等の耐水性や耐久性に富む材料からなる。壁体の内側、即ち盛土側には、帯状補強体を取り付けるための、ボルト孔等の連接手段を有する金具を予め埋設又は取り付けおくのが好ましい。
【００１７】
本発明に用いられる帯状補強体は、亜鉛めっき等の錆止め処理を施した鋼材や、合成樹脂等からなり、摩擦力を高めるため、表面にリブや突起を設けるのが好ましいが、リブや突起を設けないものも勿論使用可能である。合成樹脂としては、例えば、ポリエチレン、ポリプロピレン等のポリオレフィン、スチロール樹脂、アクリル樹脂、メタクリル樹脂、塩化ビニル樹脂、塩化ビニリデン樹脂、ＡＢＳ樹脂、ポリアミド樹脂、ポリエステル樹脂が挙げられ、これらは単独で又は必要に応じて２種以上混合して用いられる。帯状補強体のサイズは、一例を挙げれば、亜鉛めっき鋼材で、幅６０ｍｍ程度、厚さ５ｍｍ程度のものが好適である。
【００１８】
帯状補強体の一端には、壁体の内側に設けられた金具に取り付けるためのボルト孔等の連接手段が設けられる。帯状補強体の他端にも、他の帯状補強体と連接して所望の長さに延長し得るように、同じく連接手段を設けることもできる。
【００１９】
基礎コンクリート上に立設された壁体の内側に帯状補強体を取り付けた後、土のまき出しを行い、帯状補強体のレベルまで盛土をした後、その表面に盛土補強パックを敷設するか、又は帯状補強体の下部に盛土補強パックと略同じ大きさの溝を堀り、該溝内に盛土補強パックを収容・敷設する。更に、必要に応じ、帯状補強体の上部にも盛土補強パックを敷設した後、土のまき出しを行い、必要に応じて上記操作を繰り返して盛土を行った後、転圧し、盛土工事を完了する。
【００２０】
盛土の中に埋設された盛土補強パックは、土中の水分により水溶性樹脂製フィルムからなる袋が溶解し、元々袋が存在しなかった如き状態となり、盛土改質材料が帯状補強体と直接接触して相互に作用し合い、盛土の補強及び安定化効果が発揮される。
【００２１】
【実施例】
以下、本発明を実施例に基づき更に詳細に説明するが、本発明はかかる実施例のみに限定されるものではない。
【００２２】
実施例１
ポリビニルアルコール製フィルム〔商品名ハイセロン（登録商標）、日本合成化学工業株式会社製、厚さ：４０μｍ〕からなる略矩形の長条袋２内に、川砂からなる盛土改質材料３（粒径７５μｍ以下の微細土粒子の含有量は約２０％）を収納して、図１に示す如き本発明の盛土補強パック１を得た。
【００２３】
実施例２
ポリビニルアルコール製フィルム〔商品名ハイセロン（登録商標）、日本合成化学工業株式会社製、厚さ：２０μｍ〕からなる略矩形の小袋２ａ、２ｂ、２ｃがミシン目（図示せず）を有するヒートシール部４を介して連接され、各小袋２ａ、２ｂ、２ｃ内に、川砂からなる盛土改質材料３（粒径７５μｍ以下の微細土粒子の含有量は約２０％）を収納して、図１に示す如き本発明の盛土補強パック１を得た。
本実施例の盛土補強パック１は、そのままでも長条体として使用できる他、ヒートシール部４で切り離して得られる小袋２ａ、２ｂ、２ｃを盛土補強パックとして使用することができる。
【００２４】
実施例３
図１に示す盛土補強パックを用いて、盛土を実施した。
即ち、図３に示すように、傾斜地の一部を切り取って形成した法面５の壁体設置下部に砕石６を敷いてレベリングを行い、その上に該基礎コンクリート７を打設する。次いで、該基礎コンクリート７の上に壁体ユニット８ａを立設し、壁体ユニット８ａの内側の帯状補強体取付け金具（図示せず）のレベルまで土（細粒土）１０のまき出しを行った後、転圧する。
【００２５】
次いで、転圧した土の表面に盛土補強パックが収容できる大きさの溝を堀り、該溝内に盛土補強パック１１ａを収容・敷設する。
次いで、壁体ユニット８ａの内側の帯状補強体取付け金具に、リブ１２付き帯状補強体９ａを取り付け、該補強体９ａの上に盛土補強パック１１ａを敷設する。
【００２６】
次いで、再び壁体ユニット８ａの上に別の壁体ユニット８ｂを積み上げ、土（細粒土）１０のまき出しを行い、転圧した後、溝を堀り、盛土補強パック１１ｂを溝内に収容・敷設し、その後、壁体ユニット８ｂの内側に帯状補強体９ｂを取り付け、該補強体９ｂの上に盛土補強パック１１ｂを敷設し、以下、上記操作を繰り返し所定の盛土を完了する。
尚、図４に示すように、盛土補強パック（図中、１１ａ）の幅は、帯状補強体（図中、９ａ）の幅よりも大きい（約２倍）ものを使用した。
更に、盛土体の頂部は、図示していないが、例えば排水溝が設けられ、舗装されて道路等とされる。
【００２７】
実施例４
図２に示す盛土補強パックを用い、盛土を実施した。
即ち、図５に示すように、該パックの小袋２ａ、２ｂ、２ｃをヒートシール部４のミシン目より分断して帯状補強体９ａ、９ｂ、９ｃの上下に、該パック収容のための溝を掘ることなく、転圧土の表面に断続的に敷設した以外は実施例３と同様である。
【００２８】
尚、上記実施例３、４において、帯状補強体との摩擦力が十分に期待できないような小粒径からなる細粒土の地質を改質する場合について示したが、本発明はかかる場合に限られず、帯状補強体との摩擦力が十分に期待できないような大粒径からなる粗粒土の場合にも適用でき、改質できることは云うまでもない。
【００２９】
【発明の効果】
叙上のとおり、本発明の盛土補強パックは、予め工場で製造でき、しかも大小所望のサイズのものが準備できるので、取り扱いや輸送・保管及び在庫管理が容易である。
【００３０】
また、現場においても該パックを敷設するだけでよいから、大型機械を用いずとも人力で容易に敷設でき、特に足場が悪く機械が入りにくいような現場にも好適である。
【００３１】
また、本発明によれば、細粒土の包含する構造的課題の一つである壁面クリープを減少させるとともに、排水効果が向上するため、土圧に影響を与える被水圧を低減させるという副次的効果を得ることもできる。
【００３２】
以上のように、本発明は従来の現場依存型の盛土工法を初めて工業化、近代化を図るもので、その有用性は頗る大である。
【図面の簡単な説明】
【図１】本発明の盛土補強パックの実施例を示す一部切欠き斜視図である。
【図２】本発明の盛土補強パックの他の実施例を示す一部切欠き概略図である。
【図３】本発明の盛土工法の一例を示す概略図である。
【図４】図３におけるＩＶ−ＩＶ断面図である。
【図５】本発明の盛土工法の他の一例を示す概略図である。
【図６】従来の盛土工法を示す概略図である。
【符号の説明】
１  盛土補強パック                  ２  長状袋
２ａ、２ｂ、２ｃ  小袋              ３  盛土改質材料
４  ヒートシール部                  ５  法面
６  砕石                            ７  基礎コンクリート
８  壁体                            ８ａ、８ｂ、８ｃ  壁体ユニット
９ａ、９ｂ、９ｃ  帯状補強体        １０  土（細粒土）
１１ａ、１１ｂ、１１ｃ  盛土補強パック
１２  リブ                          ２１  細粒土
２２  帯状補強材                    ２３  粗粒土
【図１】
0003574014.tif 000002
【図２】
0003574014.tif 000003
【図３】
0003574014.tif 000004
【図４】
0003574014.tif 000005
【図５】
0003574014.tif 000006
【図６】
0003574014.tif 000007